(57)【要約】【課題】  バイオメトリクスデータを用いた個人認証方法において、バイオメトリクスデータ読み取り時のばらつきによる障害や、ケガなど人体の損傷が生じた場合の影響を少なくし、適正な認証処理を行えるようにした個人認証方法を提供する。【解決手段】  人体が保有する生体的な特徴に関するバイオメトリクスデータを用いて照合を行なうために、バイオメトリクスデータから複数の特徴点照合用データを抽出し、既に登録されている複数の照合用データとの間で照合処理し、前記照合処理での結果による照合一致の割合が予め定めた基準値に達している場合に認証確認の判定を行なう個人認証方法において、バイオメトリクスデータ以外の照合データを用いて予備の照合処理を行うステップと、前記予備の照合処理による照合の結果が一致した場合に、前記基準値における照合一致の割合を低く変更してバイオメトリクスデータを用いた照合処理を行うステップとを有している。【選択図】        図1
2005346518.tif 000002
【特許請求の範囲】
【請求項１】
人体が保有する生体的な特徴に関するバイオメトリクスデータを用いて照合を行なうために、バイオメトリクスデータから複数の特徴点照合用データを抽出し、既に登録されている複数の照合用データとの間で照合処理し、前記照合処理での結果による照合一致の割合が予め定めた基準値に達している場合に認証確認の判定を行なう個人認証方法において、
バイオメトリクスデータ以外の照合データを用いて予備の照合処理を行うステップと、
前記予備の照合処理による照合の結果が一致した場合に、前記基準値における照合一致の割合を低く変更してバイオメトリクスデータを用いた照合処理を行うステップと、
を有していることを特徴とする個人認証方法。
【発明の詳細な説明】
【技術分野】
【０００１】
本発明は、人体が保有する指紋、声紋、虹彩、などの生体的な特徴に関するバイオメトリクスデータを用いて個人認証を行なう個人認証方法に関する。
【背景技術】
【０００２】
従来、入場時のゲートチェックや、カード取り引きなどにおいて、本人であるか否かの確認を行うために種々の方法による認証処理が行われている。
これらの認証処理としては、例えば、ＩＣカードなどの記憶媒体を用いて、認証を受ける者が入力した暗証番号と、その者が所持する記憶媒体から読み取った照合用の暗証番号との間で照合処理を行なったり、人体が保有する指紋、声紋、虹彩、などの生体的な特徴に関するバイオメトリクスデータを用いて、予め登録されたバイオメトリクスデータと、認証を受ける者から検出されたバイオメトリクスデータとの間で照合処理を行なうなどの方法が知られている。
【０００３】
特にバイオメトリクスデータを用いた認証処理は、人体が保有する指紋、声紋、虹彩、などの生体的な特徴に基づいて照合を行なうために、信頼性の高い認証が行なわれてセキュリティ性が確保される。
このようなバイオメトリクスデータを用いた認証処理に関する公知技術としては、既に知られている。（例えば、特許文献１参照）
【特許文献１】特開２０００−３００２８号公報
【０００４】
通常、バイオメトリクスデータを用いた認証処理では、センサやカメラ等を用いて認証を受ける人の身体の所定部分の画像を読み取り、その読み取った画像データと、予め登録してある照合用の画像データとを照合処理を行なうが、これらの照合処理では、全体の画像データの中から予め定めた複数の部分の抽出を行い、抽出された複数の部分における照合処理を行い、一致した部分が全体の照合部分の中からどれだけの割合になったかを算出し、予め定めた割合以上の照合一致が得られれば認証が受けられるようにしてあり、認証が置けられる照合度の基準値が定められている。
【０００５】
例えば、指紋を用いた認証処理を例に挙げると、認証を受ける人が、指紋読取センサーに指を載せて指紋データの読み取りを行なう際に、指紋読取センサーに指を押し付ける角度や、指紋が読み取られる部分や、力の入れ具合や、湿度などによって、読み取られる指紋データにばらつきが生じてくる。
したがって、認証を受ける人が、本人であっても指紋読取センサーでの読み取り時に状況によって、部分的な照合で一致しない部分がでてくる可能性がある。
したがって、これらのことを考慮して、照合率が１００％でなくても認証が受けられるように許容範囲が設けられている。
【０００６】
しかしながら、認証判定における照合率の許容範囲を広く設定すると、不正行為を働こうとする第三者を誤って認定してしまう危険性が高くなり、また逆に認証判定における照合率の許容範囲を狭く設定すると、本人であっても指紋読取センサーでの読み取り時における不正確な読み取りに基づく認証判定ミスが生じるなどの問題があり、これらのことからも認証判定における照合率の許容範囲をどのような基準で設定したらよいのか難しいという問題がある。
【０００７】
また、ケガなどによる外見上の損傷が生じることなどを考慮して認証判定における照合率の許容範囲を設定したとすると、照合率を低めに設定することとなり、そうすると、高いセキュリティを確保できなくなり、バイオメトリクスデータを用いて高いセキュリティを確保するという意義がなくなってしまいうという問題もある。
【発明の開示】
【発明が解決しようとする課題】
【０００８】
本発明は、人体が保有する指紋、声紋、虹彩、などの生体的な特徴に関するバイオメトリクスデータを用いて個人認証を行なう個人認証方法において、たとえバイオメトリクスデータを用いた照合処理で認証されなかった場合でも、本人である可能性が高い場合には、再度バイオメトリクスデータを用いた照合処理を行なった際に、認証される確率を高めて、バイオメトリクスデータ読み取り時のばらつきによる障害や、ケガなどによる人体の損傷が生じた場合の影響を少なくして、適正な認証処理を行えるようにした個人認証方法を提供する。
【課題を解決するための手段】
【０００９】
本発明の個人認証方法は、人体が保有する生体的な特徴に関するバイオメトリクスデータを用いて照合を行なうために、バイオメトリクスデータから複数の特徴点照合用データを抽出し、既に登録されている複数の照合用データとの間で照合処理し、前記照合処理での結果による照合一致の割合が予め定めた基準値に達している場合に認証確認の判定を行なう個人認証方法において、バイオメトリクスデータ以外の照合データを用いて予備の照合処理を行うステップと、前記予備の照合処理による照合の結果が一致した場合に、前記基準値における照合一致の割合を低く変更してバイオメトリクスデータを用いた照合処理を行うステップと、を有していることを特徴とする。
【発明の効果】
【００１０】
本発明の個人認証方法によれば、入力された暗証番号に基づく照合処理の結果が一致した場合は、本人である可能性が高いという点を考慮して、バイオメトリクスデータによる照合処理における認証許可を行なう照合度の基準値を、予め設定された基準値よりも低い値に設定変更されるので、バイオメトリクスデータ読み取り時のばらつきによる障害や、ケガなどによるバイオメトリクスデータ読み取り時の影響を少なくし、適正な認証処理が行えるという効果がある。
【発明を実施するための最良の形態】
【００１１】
以下、本発明の実施の形態を図面に基づいて詳細に説明する。
図１は、本発明の実施形態に係る個人認証方法に適応されるシステムの概要を説明する図、図２は、本発明の実施形態に係る個人認証方法に適応されるシステムのシステム構成を示すブロック図、図３及び図４は、本発明の実施形態に係る個人認証方法に適応されるシステムの処理手順を示すフローチャートである。
【００１２】
本発明の実施形態に係る個人認証方法に適応されるシステムは、認証を受ける本人が所持するＩＣカード１と、ＩＣカードリーダライタ２及び指紋読取センサー３が接続されたパソコン４とにより構成される。
ＩＣカードリーダライタ２には、ＩＣカード挿入口２ａが設けられ、ＩＣカード１をＩＣカード挿入口２ａから内部に挿入することで、ＩＣカード１の接続端子部１ａがＩＣカードリーダライタ２内の接続端子部と接触させることで送受信可能に接続される。
また、指紋読取センサー３には、指置部３ａが設けられ、ＩＣカード１の使用者は、指紋読取センサー３の指置部３ａの上に指定された指を載せることで、生体情報である指紋データの読み取りが行われる。
【００１３】
指紋読取センサー３で読み取られた指紋データは、パソコン４に取り込まれ、更にＩＣカードリーダライタ２を介してＩＣカード１に送られ、ＩＣカード１内において読み取られた指紋データに基づく照合処理が行われるように構成されている。
更に、パソコン４には、入力手段であるキーボードが備えられ、キーボードから入力された暗証番号が、ＩＣカードリーダライタ２を介してＩＣカード１へ送られ、ＩＣカード１内において暗証番号に基づく照合処理が行われるように構成されている。
【００１４】
次に、本発明の実施形態に係る個人認証方法に適応されるシステムのシステム構成を、図２のシステムブロック図に基づいて詳細に説明する。
まず、パソコン４には、表示手段５、記憶手段６、入力手段７、入出力手段８、特徴点照合用データ抽出手段９、制御手段１０などを有している。
特徴点照合用データ抽出手段９は、指紋読取センサー３で読み取った指紋データの中から、個人差が特に現れる特徴点の部分として、予め定められた複数の部分における指紋データだけを抽出する機能を有している。
そして、特徴点照合用データ抽出手段９で抽出された複数箇所における特徴点照合用データが、ＩＣカードリーダライタ２を介してＩＣカード１へ送られ、ＩＣカード１内において予め登録されている照合用データと照合処理が行われ、認証確認がされる。
【００１５】
また、ＩＣカード１には、ＩＣカードリーダライタ２との接続端子部からなる接続手段１１、指紋データ照合手段１２、照合度算出手段１３、認証判定手段１４、基準値変更手段１５、暗証番号照合手段１６、記憶手段１７、制御手段１８、などが備えられている。
【００１６】
そして、記憶手段１７には、ＩＣカード所有者の生体情報である指紋データが記憶されているカード所有者指紋データ記憶部１９、暗証番号が登録されている暗証番号記憶部２０、特徴点照合用データ抽出手段９で抽出された複数箇所における特徴点照合用データに基づいた照合処理を行った際に、抽出された複数箇所のうちで、照合一致した結果の割合がどの程度である場合に、認証確認されたものと判定するのかの照合度の基準値が登録されている照合度基準値記憶部２１、ＩＣカード所有者の個人情報が記憶されているカード所有者個人情報記憶部２２、制御用プログラムが登録されている制御用プログラム記憶部２３、などを有している。
【００１７】
指紋データ照合手段１２は、指紋読取センサー３で読み取られ、特徴点照合用データ抽出手段９で抽出された複数箇所における特徴点照合用データと、ＩＣカード１の記憶手段１７のカード所有者指紋データ記憶部１９に登録されている指紋データとを照合する機能を有している。
また、照合度算出手段１３は、指紋データ照合手段１２で照合処理された結果において、抽出された複数箇所における特徴点照合用データに基づく複数の照合結果の一致状況で、一致した割合の照合度を算出する機能を有している。
【００１８】
認証判定手段１４は、照合度算出手段１３により算出された照合処理の結果における一致した割合の照合度と、記憶手段１７の照合度基準値記憶部２１に予め登録されている照合度基準値とを比較して、照合度算出手段１３で算出された照合度の割合が、予め設定されている照合度基準値よりも大きい場合に認証を認める判定を行なう機能を有している。
【００１９】
また、暗証番号照合手段１６は、ＩＣカードリーダライタ２を介してパソコン４から入力された暗証番号と、記憶手段１７の暗証番号記憶部２０に登録されている暗証番号との照合処理を行う機能を有している。
そして、基準値変更手段１５は、暗証番号照合手段１６での照合結果で照合一致した場合に、照合度基準値記憶部２１に記憶されている照合度基準値を一時的に低い照合度基準値に設定変更する機能を有している。
ここで、低い照合度基準値としてどのような値に変更するのかは、予め所定の値を設定しておくが、これによりバイオメトリクスデータによる照合処理における認証の判定基準が緩和され、バイオメトリクスデータ読み取り時のばらつきによる障害や、ケガなどによる人体の損傷が生じている場合でも認証が受けられるようにしてある。
【００２０】
次に、本発明の実施形態に係る個人認証方法に適応されるシステムの処理手順を、図３及び図４に示すフローチャートに基づいて説明する。
まず、パソコンの利用者が、ＩＣカード１に記憶されているデータを用いた処理を行なう際に、ＩＣカードリーダライタ２にＩＣカード１をセットした後、パソコン４の入力手段７から所定のコマンドの入力を行うことで、パソコン上のアプリケーションが、ＩＣカード１内に記憶されているデータの利用を行なうために、ＩＣカード１は、ＩＣカード所有者を認証するために、指紋データの入力を促す。
【００２１】
ＩＣカード所有者は、指紋読取センサー３の指置部３ａに指を載せ、指紋データの読み取りを行なう。（ステップＳ１）
指紋読取センサー３で読み取られた指紋データは、パソコン４に送られて、特徴点照合用データ抽出手段９で予め定められた複数の特徴点照合データが抽出される。（ステップＳ２）
その後、抽出された複数の特徴点照合データが、ＩＣカードリーダライタ２を介してＩＣカード１に送信される。（ステップＳ３）
【００２２】
次に、ＩＣカード１は、受信した指紋データに基づく複数の特徴点照合データを、記憶手段１７のカード所有者指紋データ記憶部１９に登録されている指紋データと照合処理を行い、照合度の算出を行なう。（ステップＳ４）
そして、算出された照合度と、記憶手段１７の照合度基準値記憶部２１に登録されている照合度基準値とを照合する。（ステップＳ５）
【００２３】
この照合処理の結果、算出された照合度が照合度基準値に達している場合には、本人認証が確認されたと判定し、認証確認済みを示す情報をＩＣカード１からＩＣカードリーダライタ２を介してパソコン４に送信することで認証処理が終了する。（ステップＳ６）
また、この照合処理の結果、算出された照合度が照合度基準値に達していない場合には、ＩＣカード１からＩＣカードリーダライタ２を介してパソコン４に暗証番号の入力を行なうことを促す情報が送信される。（ステップＳ７）
【００２４】
そして、ＩＣカード所有者は、パソコン４の入力手段７から暗証番号の入力を行い、ＩＣカードリーダライタ２を介してＩＣカード１に暗証番号の送信を行なう。（ステップＳ８）
暗証番号を受信したＩＣカード１は、記憶手段１７の暗証番号記憶部２０に登録されている照合用の暗証番号と、受信した暗証番号との照合処理を行う。（ステップＳ９）
この照合処理の結果、暗証番号との照合処理の結果、照合不一致となった場合には、認証の確認ができないことを示す情報がＩＣカードリーダライタ２を介してパソコン４に送信することで終了する。（ステップＳ１７）
また、この照合の結果、照合一致した場合には、基準値変更手段１５により次回の指紋データに基づく照合処理に際に用いる照合度基準値を、通常の照合度基準値よりも低く設定した特別な照合度基準値に変更して設定する。（ステップＳ１０）
【００２５】
そして、ＩＣカード１は、ＩＣカード所有者を認証するために、パソコン４により指紋データの入力を促す。（ステップＳ１１）
ＩＣカード所有者は、指紋読取センサー３の指置部３ａに指を載せ、指紋データの読み取りを行なう。（ステップＳ１２）
指紋読取センサー３で読み取られた指紋データは、パソコン４に送られて、特徴点照合用データ抽出手段９で予め定められた複数の特徴点照合データが抽出される。（ステップＳ１３）
その後、抽出された複数の特徴点照合データが、ＩＣカードリーダライタ２を介してＩＣカード１に送信される。（ステップＳ１４）
【００２６】
次に、ＩＣカード１は、受信した指紋データに基づく複数の特徴点照合データを、記憶手段１７のカード所有者指紋データ記憶部１９に登録されている指紋データと照合処理を行い、照合度の算出を行なう。（ステップＳ１５）
そして、算出された照合度と、記憶手段１７に記憶されている低く設定された特別な照合度基準値とを照合する。（ステップＳ１６）
【００２７】
この照合処理の結果、算出された照合度が低く設定された特別な照合度基準値に達している場合には、本人認証が確認されたと判定し、認証確認済みを示す情報をＩＣカード１からＩＣカードリーダライタ２を介してパソコン４に送信することで認証処理が終了する。（ステップＳ６）
また、この照合処理の結果、算出された照合度が低く設定された特別な照合度基準値に達していない場合には、認証の確認ができないことを示す情報がＩＣカードリーダライタ２を介してパソコン４に送信することで終了する。（ステップＳ１７）
【００２８】
以上の処理により、最初の指紋データによる照合処理で認証判定がだめであっても、暗証番号に基づく照合処理で一致されれば、低く設定された特別な照合度基準値に基づく認証判定を受けて、認証が受けられる可能性が高くなるようにしてあるので、バイオメトリクスデータ読み取り時のばらつきによる障害や、本人がケガなどにより人体の損傷が生じている場合でも認証が受けられるようにしてある。
上記の実施形体においては、生体情報を指紋データとした場合について説明したが、個々の人間が保有する身体的特徴であれば生体データとして用いることができる。
【図面の簡単な説明】
【００２９】
【図１】本発明の実施形態に係る個人認証方法に適応されるシステムの概要を説明する図である。
【図２】本発明の実施形態に係る個人認証方法に適応されるシステムのシステム構成を示すブロック図である。
【図３】本発明の実施形態に係る個人認証方法に適応されるシステムの処理手順を示すフローチャートである。
【図４】本発明の実施形態に係る個人認証方法に適応されるシステムの処理手順を示すフローチャートである。
【符号の説明】
【００３０】
１  ＩＣカード
２  ＩＣカードリーダライタ
２ａ  ＩＣカード挿入口
３  指紋読取センサー
３ａ  指置部
４  パソコン
５  表示手段
６  記憶手段
７  入力手段
８  入出力手段
９  特徴点照合用データ抽出手段
１０  制御手段
１１  接続手段
１２  指紋データ照合手段
１３  照合度算出手段
１４  認証判定手段
１５  基準値変更手段
１６  暗証番号照合手段
１７  記憶手段
１８  制御手段
１９  カード所有者指紋データ記憶部
２０  暗証番号記憶部
２１  照合度基準値記憶部
２２  カード所有者個人情報記憶部
２３  制御用プログラム記憶部
【図１】
2005346518.tif 000003
【図２】
2005346518.tif 000004
【図３】
2005346518.tif 000005
【図４】
2005346518.tif 000006